(57)【要約】【課題】デバイスのコンパクトさを高めるために内部構造を最適化しながら、デバイスのハウジング内に使用済みブリスターストリップを保持する吸入デバイスを提供する。【解決手段】ブリスターストリップ（１２）の未使用部分（３４）および使用済み部分（３６）を収容するための第１および第２のブリスター区画（２８，３０）へと分割されたチャンバー（２６）を有するドライパウダー吸入器が提供される。移動可能な隔壁（３２）が第１および第２のブリスター区画を分離する。一つ以上の弧状支持面（３８，４０，４２）が第１および／または第２のブリスター区画に配置され、これらの面は吸入器が連続的に作動している間、使用済みまたは未使用ブリスターストリップを支持する。弧状支持面を使用することによりブリスターストリップの未使用部分および使用済み部分のコイルがコンパクトになり、これによって吸入器に必要なチャンバーのサイズが低減される。【選択図】図３
2019181248.tif 000002
【特許請求の範囲】
【請求項１】
吸入器（１０）であって、
ハウジング（１４）と、
それを経てユーザーによって一回分の薬剤が吸入されるマウスピース（１８）と、
複数のブリスターを有するブリスターストリップであって、各ブリスターは、少なくとも最初に、ユーザーによる吸入のための一回分の薬剤を収容する、ブリスターストリップ（１２）と、
前記ブリスターストリップ（１２）のターゲットブリスターからの薬剤の取り出しを容易にするためのブリスター開封アセンブリ（２０）と、
前記ターゲットブリスターとなるように各ブリスターを前記ブリスター開封アセンブリと整列状態となるように順次移動させるよう動作可能なアクチュエータ機構（２２，２４）と
を具備し、
前記ハウジング（１４）は、第１のコイル（３４）として前記ブリスターストリップの未開封部分を収容するための第１のブリスター区画（２８）と、前記ブリスターストリップの開封済み部分を収容するとともにそれを第２のコイル（３６）へと巻回するための第２のブリスター区画（３０）と、前記第１のブリスター区画と前記第２のブリスター区画とを分離させる可動隔壁（３２）と、を具備し、
前記可動隔壁（３２）は前記吸入器の連続的な作動中に漸進的に移動させられ、これによって前記第１のブリスター区画（２８）の容積を漸進的に減少させるとともに前記第２のブリスター区画（３０）の容積を漸進的に増大させ、
前記吸入器は、さらに、
前記第１のコイル（３４）の少なくとも一部を支持するために前記ハウジング内で前記第１のブリスター区画（２８）内に配置されるかあるいはその一部を形成する第１の弧状支持面（３８）であって、前記第１のコイルの直径が最大であるときの前記吸入器の耐用期間におけるある段階で、前記第１の弧状支持面（３８）の半径は前記第１のコイル（３４）の半径と一致する、第１の弧状支持面（３８）と、
使用済みブリスターストリップが前記第２のブリスター区画（３０）に入るとき、前記使用済みブリスターストリップの方向を制御するためのブリスターストリップ案内リブ（６０）であって、前記使用済みブリスターストリップは、前記吸入器の連続的な作動の間、前記案内リブと前記ハウジング（１４）の内面との間を通過し、前記ブリスターストリップ（１２）は高さａを有しており、かつ、前記案内リブは、前記ハウジングの内面から距離ｂだけ離間させられている、ブリスターストリップ案内リブ（６０）と、
を具備し、
前記距離ｂは前記高さａ未満であることを特徴とする吸入器。
【請求項２】
前記第２のコイル（３６）の少なくとも一部を支持するために前記ハウジング内で、前記第２のブリスター区画（３０）内に配置されるかあるいはその一部を形成する第２の弧状支持面（４０）をさらに具備し、
前記第１のコイル（３４）の直径が略最大であるときの前記吸入器の耐用期間におけるある段階で、前記第２の弧状支持面（４０）の半径は前記第２のコイル（３６）の半径と一致する、請求項１に記載の吸入器。
【請求項３】
前記第１のコイル（３４）の少なくとも一部を支持するために前記ハウジング内で、前記第１のブリスター区画（２８）内に配置されるかあるいはその一部を形成する第３の弧状支持面（４２）をさらに具備し、
前記第１のコイル（３４）および前記第２のコイル（３６）の合計直径が最大であるときの前記吸入器の耐用期間におけるある段階で、前記第３の弧状支持面（４２）の半径は前記第１のコイル（３４）の半径と一致する、請求項２に記載の吸入器。
【請求項４】
前記弧状支持面（３８，４０，４２）は、前記ハウジング（１４）の内面から延在する、請求項３に記載の吸入器。
【請求項５】
前記弧状支持面（３８，４０，４２）は、前記ハウジング（１４）内に配置された内壁から延在する、請求項３または請求項４に記載の吸入器。
【請求項６】
前記第１の弧状支持面（３８）および／または第３の弧状支持面（４２）は、前記第１のコイルの半径が最大であるとき、少なくとも３０度の前記第１のコイル（３４）の弧に等しい長さを有する、請求項３ないし請求項５のいずれか１項に記載の吸入器。
【請求項７】
前記第２の弧状支持面（４０）は、前記第１のコイルの半径が略最大であるとき、少なくとも３０度の前記第２のコイル（３６）の弧に等しい長さを有する、請求項３ないし請求項６のいずれか１項に記載の吸入器。
【請求項８】
前記ハウジング（１４）に対する前記弧状支持面（３８，４０，４２）の位置は、それらが不動であるように固定される、請求項３ないし請求項７のいずれか１項に記載の吸入器。
【請求項９】
前記第１のコイル（３４）は、前記第３の弧状支持面（４２）と前記可動隔壁（３２）との中間に配置される、請求項３ないし請求項８のいずれか１項に記載の吸入器。
【請求項１０】
前記第２のコイル（３６）は、前記第２の弧状支持面（４０）と前記可動隔壁（３２）との中間に配置される、請求項２ないし請求項９のいずれか１項に記載の吸入器。
【請求項１１】
前記ブリスターが開封された後に、前記ブリスターを少なくとも部分的に押し潰すためのブリスター圧潰部材をさらに備える、請求項１ないし請求項１０のいずれか１項に記載の吸入器。
【請求項１２】
前記可動隔壁（３２）は、バッフル（５２）に対して取り付けられると共に前記バッフル（５２）と一体的に形成された細長い足部（５０）を備える、請求項１ないし請求項１１のいずれか１項に記載の吸入器。
【請求項１３】
前記バッフル（５２）は、直線状本体部分（５６）と、この直線状本体部分の下端から延在する弧状テール部分（５８）と、を有する、請求項１２に記載の吸入器。
【発明の詳細な説明】
【技術分野】
【０００１】
本発明は、粉末形態の医薬品の経口または経鼻送達のための吸入デバイスに関する。より具体的には、本発明は、粉末状薬剤がブリスターストリップ内に収容されるドライパウダー吸入器に関する。本発明はまた、それぞれが穿孔可能な蓋を有すると共に本発明によるデバイスのユーザーによる吸入のための薬剤の投与量を含むブリスターのストリップを収容する吸入器に関する。
【背景技術】
【０００２】
吸入デバイスを用いた薬剤の経口または経鼻送達は薬物投与の特に魅力的な方法である。なぜなら、これらのデバイスは、患者が目立たないように公共の場で使用するのが比較的容易であるからである。気道の局所疾患およびその他の呼吸器疾患を治療するための薬剤を送達するだけでなく、それらはまた最近では、肺を介して血流に薬剤を送達するために使用され、それによって皮下注射の必要性が回避される。
【０００３】
ドライパウダー製剤は、通常は、正確かつ一貫して測定された一回分のパウダーをそれぞれ含むカプセルまたはブリスターの形態で、個々の用量に予め包装されることが一般的である。ブリスターは、一般に、延性箔ラミネートまたはプラスチック材料から冷間成形され、製造中およびブリスター内に用量薬物が導入された後、ブリスターの周囲に永久的にまたは剥離可能に固着される蓋を含む。
【０００４】
薬物がそれにさらされた場合に吸入器の送達特性に有害な影響を及ぼす可能性がある光およびＵＶ線から遮蔽されることに加えて、薬物は水の浸入および酸素などのガスの浸入から保護されるので、箔ブリスターはカプセルよりも好ましい。したがって、ブリスターは個々の用量薬物に対して優れた環境保護を提供する。
【０００５】
それぞれが、予め計量されかつ個々に包装された送達されるべき投与量の薬物を収容する複数のブリスターを含むコイル状のブリスターストリップを受け入れる吸入デバイスは周知である。デバイスを作動させることによって、ある機構が、例えばそれを穿孔するかあるいは蓋を剥がすことによって、ブリスターを破るかまたは破断させ、これによって、患者が吸入するときブリスターを通って空気が引き込まれるが、これは、続いてデバイスを経てブリスターから、そして患者の気道を通って肺の中に運ばれる用量薬物を引き込む。ブリスターから用量薬物を運ぶために、加圧された空気またはガスまたはその他の推進剤を使用することもできる。代替的に、ブリスターを穿孔または開封する機構が、そこから用量薬剤を続いて吸入することができるレセプタクル内へと、ブリスターから用量薬剤を押し出すかまたは放出してもよい。
【０００６】
吸入器は、ブリスターが使用されるたびにブリスターを開封しかつ／またはデバイス内にブリスターを挿入する必要なしに、一定期間にわたってそれを繰り返し使用することができるように、多数の用量薬剤を保持することができることが有利である。したがって、多くの従来のデバイスは、個々の用量の薬剤をそれぞれ収容する多数のブリスターを貯蔵するための手段を含む。用量薬剤が吸入されるとき、割り出し機構は、先に空になったブリスターを開封機構から離れるように移動させ、これによって新しいブリスター、ターゲットブリスターが、その内容物の吸入のために開封する準備ができた位置へと移動させられる。このタイプの吸入器は、特許文献１として公開された本願出願人自身の国際特許出願から知られている。
【０００７】
特許文献１から知られているデバイスは、完全に一体化されたデバイス、すなわち使用済みブリスターがそのハウジング内に保持され、ユーザーがブリスターストリップと直接接触する必要がないデバイスを提供するように既に改変されている。
【０００８】
現在特許文献２として公開されている本願出願人自身の先の出願から知られている一つの変更された実施形態では、その中にブリスターストリップの使用済み部分が案内されるデバイスのハウジング内に搭載されたフレキシブルでかつ弾力性のある螺旋要素が提供され、これによってストリップが次第に使い尽くされるにつれて、ますます多くのストリップがそのコイル間でその中に供給され押し込まれるので、螺旋は膨張する。
【０００９】
本発明と同様に、特許文献２のデバイスは、ハウジングの内部を使用済みおよび未使用のブリスター区画に分離するための隔壁を有する。隔壁は剛体であり、かつ、使用されたブリスターの数が増加しかつ未使用ブリスターの数が減少するにつれて未使用ブリスター区画および使用済みブリスター区画のサイズが互いに変化するようにスライド可能に取り付けられる。可動壁はまた、特許文献３（Valois S.A.S.）からも知られている。
【００１０】
特許文献２はまた、使用済みブリスターが、ブリスターストリップ駆動機構または割り出しホイールと、デバイスのケーシングの内面との間で圧潰される実施形態を説明している（これはまた本発明の吸入器の特徴でもある）。圧潰が行われるとき、すなわち使用済みストリップがブリスターストリップ駆動部材の周りを通過するとき、それが使用済みブリスター区画内でコイル状になるのを助けるカールまたは湾曲した形態がストリップに付与される。
【００１１】
本発明に係る吸入器の完全な動作は特許文献４に記載されている。割り出し機構は特許文献５に具体的に記載されている。
【００１２】
特許文献１、特許文献２、特許文献５および特許文献４の開示は、この参照により本明細書中に組み込まれる。
【先行技術文献】
【特許文献】
【００１３】
【特許文献１】国際公開第２００５／０３７３５３号パンフレット
【特許文献２】国際公開第２００９／００７３５２号パンフレット
【特許文献３】米国特許出願公開第２０１０／０２８８２７８号明細書
【特許文献４】国際公開第２０１２／０６９８５４号パンフレット
【特許文献５】国際公開第２００９／０９２６５２号パンフレット
【発明の概要】
【発明が解決しようとする課題】
【００１４】
本発明は、デバイスのコンパクトさを高めるために内部構造を最適化しながら、デバイスのハウジング内に使用済みブリスターストリップを保持する吸入デバイスを提供することを目的とする。
【課題を解決するための手段】
【００１５】
本発明の第１の態様によれば、吸入器であって、
ハウジングと、
マウスピースと、
複数のブリスターを有するブリスターストリップであって、各ブリスターは、少なくとも最初に、マウスピースを介したユーザーによる吸入のための一回分の薬剤を収容する、ブリスターストリップと、
上記ブリスターストリップのターゲットブリスターからの薬剤の取り出しを容易にするためのブリスター開封アセンブリと、
上記ターゲットブリスターとなるように各ブリスターを上記ブリスター開封アセンブリと整列状態となるように順次移動させるよう動作可能なアクチュエータ機構とを具備し、
上記ハウジングは、第１のコイルとして上記ブリスターストリップの未開封部分を収容するための第１のブリスター区画と、上記ブリスターストリップの開封済み部分を収容するとともにそれを第２のコイルへと巻回するための第２のブリスター区画と、上記第１および第２のブリスター区画を分離させる可動隔壁とを具備し、
上記可動隔壁は上記吸入器の連続的な作動中に漸進的に移動させられ、これによって上記第１のブリスター区画の容積を漸進的に減少させるとともに上記第２のブリスター区画の容積を漸進的に増大させ、
上記吸入器は、上記第１または第２のコイルの少なくとも一部を支持するために上記ハウジング内に弧状支持面をさらに具備する吸入器が提供される。
【００１６】
任意選択で、吸入器の耐用期間におけるある段階で、第１のコイルの直径が最大であるとき、弧状支持面の半径は第１のコイルの半径と一致する。
【００１７】
任意選択で、吸入器の耐用期間におけるある段階で、第１および第２のコイルの合計直径が最大であるとき、弧状支持面の半径は第１のコイルの半径と一致する。
【００１８】
任意選択で、吸入器の耐用期間におけるある段階で、第１のコイルの直径が最大またはそれに近いとき、弧状支持面の半径は第２のコイルの半径と一致する。
【００１９】
弧状支持面は、第１のブリスター区画内に配置されてもよく、あるいは第１のブリスター区画の一部を形成してもよい。
【００２０】
弧状支持面は、第２のブリスター区画内に配置されてもよく、あるいは第２のブリスター区画の一部を形成してもよい。
【００２１】
好ましくは、円弧状支持面はハウジングの内面から延在する。代替的に、弧状支持面は、ハウジング内の内壁から延在してもよい。
【００２２】
好ましくは、第１のコイルの直径が最大であるとき、弧状支持面は、少なくとも３０度の第１のコイルの弧に等しい長さを有する。
【００２３】
好ましくは、ハウジングに対する弧状支持面の位置は、それが不動であるように固定される。
【００２４】
第１のコイルは、弧状支持面と可動隔壁との中間に配置されてもよい。代替的に、第２のコイルは、弧状支持面と可動隔壁の中間に配置されてもよい。
【００２５】
好ましくは、吸入器は、それが第２のブリスター区画に入るとき、使用済みブリスターストリップの方向を制御するためのブリスターストリップ案内リブをさらに備え、使用済みブリスターストリップは、吸入器の連続的な作動中、案内リブとハウジングの内面との間を通過する。理想的には、ブリスターストリップは高さａを有するとともに案内リブは距離ｂだけハウジングの内面から離間させられており、距離ｂは高さａ未満である。
【００２６】
任意選択で、吸入器は、ブリスターが開封された後に、それを少なくとも部分的に押し潰すためのブリスター圧潰部材をさらに備える。
【００２７】
好ましくは、弧状支持面は１ｍｍまでの厚さを有する。
【００２８】
好ましくは、弧状支持面は可動隔壁から離間している。
【００２９】
好ましくは、弧状支持面は柔軟性を持たないかあるいは剛体である。
【００３０】
任意選択で、可動隔壁は、ブリスターストリップの使用済み部分が第２のブリスター区画に入るときに、第２のコイルの形成を容易にするように構成されてもよい。
【００３１】
好ましくは、ブリスターストリップは３０ないし６０個のブリスターを担持する。
【００３２】
好ましくは、各ブリスターは、１００ｍｇまでの、好ましくは５０ｍｇまでの、より好ましくは１０ないし２５ｍｇまでの用量ペイロードを有する。
【００３３】
本発明の第２の態様によれば、吸入器であって、
ハウジングと、
マウスピースと、
複数のブリスターを有するブリスターストリップであって、各ブリスターは、少なくとも最初に、マウスピースを介したユーザーによる吸入のための一回分の薬剤を収容する、ブリスターストリップと、
上記ブリスターストリップのターゲットブリスターからの薬剤の取り出しを容易にするためのブリスター開封アセンブリと、
上記ターゲットブリスターとなるように各ブリスターを上記ブリスター開封アセンブリと整列状態となるように順次移動させるよう動作可能なアクチュエータ機構とを具備し、
上記ハウジングは、第１のコイルとして上記ブリスターストリップの未開封部分を収容するための第１のブリスター区画と、上記ブリスターストリップの開封済み部分を収容するとともにそれを第２のコイルへと巻回するための第２のブリスター区画と、上記第１および第２のブリスター区画を分離させる可動隔壁とを具備し、
上記可動隔壁は上記吸入器の連続的な作動中に漸進的に移動させられ、これによって第１のブリスター区画の容積を漸進的に減少させるとともに上記第２のブリスター区画の容積を漸進的に増大させ、
上記吸入器は、上記第１のコイルの少なくとも一部を支持するために上記ハウジング内に弧状支持面をさらに具備し、
上記吸入器の耐用期間におけるある段階で、上記第１のコイルの直径が最大であるとき、上記弧状支持面の半径は上記第１のコイルの半径と一致することを特徴とする吸入器が提供される。
【００３４】
本発明の第３の態様によれば、吸入器であって、
ハウジングと、
マウスピースと、
複数のブリスターを有するブリスターストリップであって、各ブリスターは、少なくとも最初に、マウスピースを介したユーザーによる吸入のための一回分の薬剤を収容する、ブリスターストリップと、
上記ブリスターストリップのターゲットブリスターからの薬剤の取り出しを容易にするためのブリスター開封アセンブリと、
上記ターゲットブリスターとなるように各ブリスターを上記ブリスター開封アセンブリと整列状態となるように順次移動させるよう動作可能なアクチュエータ機構とを具備し、
上記ハウジングは、第１のコイルとして上記ブリスターストリップの未開封部分を収容するための第１のブリスター区画と、上記ブリスターストリップの開封済み部分を収容するとともにそれを第２のコイルへと巻回するための第２のブリスター区画と、上記第１および第２のブリスター区画を分離させる可動隔壁とを具備し、
上記可動隔壁は上記吸入器の連続的な作動中に漸進的に移動させられ、これによって第１のブリスター区画の容積を漸進的に減少させるとともに上記第２のブリスター区画の容積を漸進的に増大させ、
上記吸入器は、上記第１のコイルの少なくとも一部を支持するために上記ハウジング内に弧状支持面をさらに具備し、
上記吸入器の耐用期間におけるある段階で、上記第１および第２のコイルの合計直径が最大であるとき、上記弧状支持面の半径は上記第１のコイルの半径と一致することを特徴とする吸入器が提供される。
【００３５】
本発明の第４の態様によれば、吸入器であって、
ハウジングと、
マウスピースと、
複数のブリスターを有するブリスターストリップであって、各ブリスターは、少なくとも最初に、マウスピースを介したユーザーによる吸入のための一回分の薬剤を収容する、ブリスターストリップと、
上記ブリスターストリップのターゲットブリスターからの薬剤の取り出しを容易にするためのブリスター開封アセンブリと、
上記ターゲットブリスターとなるように各ブリスターを上記ブリスター開封アセンブリと整列状態となるように順次移動させるよう動作可能なアクチュエータ機構とを具備し、
上記ハウジングは、第１のコイルとして上記ブリスターストリップの未開封部分を収容するための第１のブリスター区画と、上記ブリスターストリップの開封済み部分を収容するとともにそれを第２のコイルへと巻回するための第２のブリスター区画と、上記第１および第２のブリスター区画を分離させる可動隔壁とを具備し、
上記可動隔壁は上記吸入器の連続的な作動中に漸進的に移動させられ、これによって第１のブリスター区画の容積を漸進的に減少させるとともに上記第２のブリスター区画の容積を漸進的に増大させ、
上記吸入器は、上記第２のコイルの少なくとも一部を支持するために上記ハウジング内に弧状支持面をさらに具備し、
上記吸入器の耐用期間におけるある段階で、上記第１のコイルの直径が最大あるいはそれに近いとき、上記弧状支持面の半径は上記第２のコイルの半径と一致することを特徴とする吸入器が提供される。
【００３６】
これは、第２のコイルの直径が最小であるときの吸入器の耐用期間における段階と一致する。
【００３７】
本発明の第５の態様によれば、吸入器であって、ハウジングと、上記ハウジングから延在するかあるいは上記ハウジングに対して搭載されるマウスピースと、複数のブリスターを有するブリスターストリップであって、各ブリスターは、少なくとも最初に、上記マウスピースを介したユーザーによる吸入のための一回分の薬剤を収容するブリスターストリップと、上記ブリスターストリップのターゲットブリスターからの薬剤を取り出しを容易にするためのブリスター開封アセンブリと、上記ターゲットブリスターとなるように各ブリスターを上記ブリスター開封アセンブリと整列状態となるように順次移動させるよう動作可能なアクチュエータ機構とを具備し、上記ハウジングは、第１のコイルとして上記ブリスターストリップの未開封部分を収容するための第１のブリスター区画と、上記ブリスターストリップの開封済み部分を収容するとともにそれを第２のコイルへと巻回するための第２のブリスター区画と、上記第１および第２のブリスター区画を分離させる可動隔壁とを具備し、上記可動隔壁は上記吸入器の連続的な作動中に漸進的に移動させられ、これによって第１のブリスター区画の容積を漸進的に減少させるとともに上記第２のブリスター区画の容積を漸進的に増大させ、上記吸入器はさらに、上記第１のコイルの少なくとも一部を支持するための上記第１のブリスター区画内の弧状支持面と、上記第１のコイルのさらなる一部を支持するための上記第１のブリスター区画内の第２の上記弧状支持面と、上記第２のコイルの一部を支持するための上記第２のブリスター区画内の第３の上記弧状支持面とを具備する吸入器が提供される。
【００３８】
好ましくは、吸入器は、使用済みブリスターストリップが第２のブリスター区画に入るときにその方向を制御するためのブリスターストリップ案内リブをさらに備え、使用済みブリスターストリップは吸入器の連続作動中に案内リブとハウジングの内面との間を通過する。理想的には、ブリスターストリップは高さａを有し、案内リブは距離ｂだけハウジングの内面から離間させられ、距離ｂは高さａ未満である。
【００３９】
以下、本発明の実施形態を、添付図面の図１ないし図９を参照して、単なる例として説明する。
【図面の簡単な説明】
【００４０】
【図１】本発明による吸入器の個々のコンポーネントを示す分解斜視図である。
【図２ａ】吸入器の一般的な機能および動作を示すための一連の図である。
【図２ｂ】吸入器の一般的な機能および動作を示すための一連の図である。
【図２ｃ】吸入器の一般的な機能および動作を示すための一連の図である。
【図２ｄ】吸入器の一般的な機能および動作を示すための一連の図である。
【図２ｅ】吸入器の一般的な機能および動作を示すための一連の図である。
【図３】吸入器の第１のブリスター区画内の未使用ブリスターストリップの特にコイル状部分を示す、吸入器の側方から見た断面図である。
【図４】未使用ブリスターストリップのコイル状部分の直径が最大であるときの吸入器の耐用期間のある段階での図３の吸入器の側方から見た断面図であるが、コイル状ブリスターストリップが分かりやすくなるように取り除かれている。
【図５】未使用ブリスターストリップのコイル状部分と使用済みブリスターストリップのコイル状部分の合計直径が最大であるときの吸入器の耐用期間のある段階での図３の吸入器の側方から見た断面図であるが、やはりコイル状ブリスターストリップは取り除かれている。
【図６】使用済みブリスターストリップのコイル状部分の直径が最大であるときの吸入器の耐用期間のある段階での図３の吸入器の側方から見た断面図であるが、やはりコイル状ブリスターストリップは取り除かれている。
【図７】ブリスター圧潰を伴わない、吸入器の耐用期間にわたる未使用および使用済みブリスターストリップのための吸入器内の空間要求を示すグラフである。
【図８】図８と同様のグラフであるが、吸入器に組み込まれたブリスター圧潰を伴い、吸入器内の空間要求に関するブリスター圧潰の効果を示している。
【図９】追加のコイルを形成するために、使用済みブリスターストリップが第２のブリスター区画に入り、それ自体の上に再び巻かれる状態を示す概略拡大図である。
【発明を実施するための形態】
【００４１】
添付図面の図１および図２を参照すると、ブリスターストリップ１２から粉末状薬剤を分配するためのドライパウダー吸入器１０が示されている。吸入器１０は、二つのシェル部分１４ａ，１４ｂから形成されるハウジング１４と、第１の回転軸線Ａを中心に回転するようにハウジング１４に対して回動可能に取り付けられたキャップ１６と、第２の回転軸線Ｂを中心として回転するようにハウジング１４に対して回動可能に取り付けられたマウスピース１８と、ブリスターストリップ１２に孔を開けるためにマウスピース１８から垂下するブリスター穿孔部材２０と、ブリスターストリップ１２をブリスター穿孔部材２０を越えて前進させるための割り出しシステムと、ブリスターストリップ１２の割り出しおよび穿孔の両方を引き起こすように作動可能な操作レバー２２とを具備する。
【００４２】
キャップ１６は、当該キャップ１６がマウスピース１８を覆って、それを保護する閉位置から完全開位置へ、図２（ａ）に矢印「Ｒ」で示す方向に移動可能であり、この位置では、マウスピース１８は、ユーザーがブリスターストリップ１２からマウスピース１８を介して一回分の薬剤を吸入することを可能にするために露出させられる。
【００４３】
キャップ１６は、矢印「Ｒ」の方向に、その完全開位置へと回動させられる。操作レバー２２は、キャップ１６がその閉位置から回動させられるとすぐに現れる。次いで、ユーザーは、それが図２（ｂ）に矢印「Ｓ」で示す方向に回動するように操作レバー２２に圧力を加える。
【００４４】
操作レバー２２がそのストロークの第１の部分を通って図２（ｂ）に示す位置へと最初に回動する間、ブリスターストリップ１２は、未使用ブリスターを移動させてブリスター穿孔部材２０と整列するように割り出される。
【００４５】
操作レバー２２が、図２（ｂ）に示す位置を越えてかつそのストロークの第１の部分を完了した後に、図２（ｃ）の矢印「Ｔ」の方向に、そのストロークの第２の部分にわたって回動させられるとき、ブリスターストリップ１２は静止したままであるが、マウスピース１８はここで回動させられ、これによってブリスター穿孔部材２０は、前もって整列させられたブリスターの蓋を穿孔する。
【００４６】
操作レバー２２が図２（ｃ）に示す位置になると、図２（ｄ）の矢印「Ｕ」で示すように、ユーザーはマウスピース１８を経て吸入する。
【００４７】
吸入後、ユーザーは、キャップ１６を反対方向、すなわち図２（ｅ）の「Ｖ」で示す方向に回動させる。この動作の間、キャップ１６は操作レバー２２と係合し、これによって操作レバー２２はまた図２（ａ）に示すようなその初期位置に戻り、ブリスターストリップは操作レバー２２のこのリターン動作中に静止したままである。
【００４８】
キャップ１６は、それが、ブリスターストリップ１２の割り出し機能を発揮させることなくまたはマウスピース１８から垂下するブリスター穿孔部材２０によって整列状態のブリスターの蓋を穿孔することなく自由に開閉できる、という点で「受動的」であることに留意されたい。キャップ１６は受動的であるが、キャップ１６を閉じる前に操作レバー２２が押し下げられた場合には、それは操作レバーを元の位置に戻すリセット機能を発揮する。
【００４９】
キャップ１６および操作レバー２２は、キャップ１６がその閉位置にありかつ操作レバー２２がその初期位置に戻ったときに、キャップ１６がデバイスを操作するためにユーザーによって押圧される操作レバー２２の上に重なるように構成される。これは、ユーザーが、キャップ１６を開く前に操作レバー２２を回動させることによってデバイスを作動させようとすることを防止する。
【００５０】
上述したように、吸入器１０は、国際公開第２００９／０９２６５２号パンフレットにおいて既に説明された割り出し機構を有しており、ここではこれ以上の詳細な説明は省略する。
【００５１】
割り出し機構は、その周りを使用済みブリスターストリップが移動し、かつ、それがブリスターストリップ１２を前方に押しやるブリスターストリップ駆動部材または割り出しホイール２４を備える。割り出しホイール２４はまた、使用済みブリスターキャビティがその周囲を通過するときにそれを押し潰し、これによってそれらを少なくとも部分的に圧潰するために使用できる。これは、ハブと吸入器１０のケーシングまたは壁、またはケーシングに固定されたコンポーネントとの間の距離がブリスターキャビティの最大高さよりも小さくなるように割り出しホイール２４の軸またはハブを拡大することによって達成される。ブリスターキャビティが割り出しホイール２４のスポーク間に引き込まれると、割り出しホイール２４の前方への回転により、キャビティが割り出しホイール２４の拡大ハブと吸入器１０のケーシングとの間で少なくとも部分的に押し潰されるか挟み込まれる。空のブリスターキャビティを少なくとも部分的に押し潰す利点は、コイル状ストリップがより小さな半径を持つので、デバイスの使用済みブリスター区画内でコイル状に巻かれたときに、より少ない空間しか占有しないということである。さらに、割り出しホイール２４の周りに供給される結果として、そしてブリスターキャビティの圧潰の結果として、ストリップに自然な湾曲が付与される。これにより、ブリスターストリップ１２の使用済み部分がより容易にコイル状になる。ブリスターキャビティが押し潰されたとき、キャビティは、割り出しホイール２４のスポークがストリップに接触する点、すなわちブリスターキャビティがブリスターストリップ１２の残部と接触する根部において、窪ませようとすることに対してより弾力性があることもまた明らかである。したがって、ブリスターストリップ１２のより確実で正確な駆動は、ブリスターが圧潰されたときに達成される。
【００５２】
ハウジング１４内で、チャンバー２６は、剛体隔壁３２によって第１および第２の区画２８，３０へと分離させられる。ブリスターストリップ１２の未使用部分は、第１のブリスター区画２８内に第１のコイル３４として貯蔵され、そしてブリスターストリップ１２の第２の部分は第２のコイル３６を形成するように第２のブリスター区画３０内に受け入れられる。隔壁３２はチャンバー２６内にスライド可能に設けられ、これによって、より多くのブリスターが使用されるとき、第２のブリスター区画３０内のブリスターの使用済みコイル３６の力は隔壁３２を押圧し、使用済みブリスターのための空間を拡大すると共に未使用ブリスターが以前占有していた空間を減少させるようにそれを押しやる。
【００５３】
本発明が存在するのは、ここである。ハウジング１４の内部の構成は、第１および第２のブリスター区画２８，３０のために必要な空間を最小限に抑えるように最適化され、これによって吸入器１０の全体的なサイズが低減される。
【００５４】
吸入器１０は、当該吸入器１０の連続作動中に、第１のコイル３４、第２のコイル３６または第１および第２のコイル３４，３６の両方の少なくとも一部を支持するために、ハウジング１４内に三つの弧状支持面３８，４０，４２を備える。この実施形態では、三つの別個の弧状支持面３８，４０，４２が設けられているが、弧状支持面３８，４０，４２の一つまたは二つの組み合わせが実施可能に利用できる。構成が最適化されるのは三つの弧状支持面３８，４０，４２の全てが使用されるときである。ただ一つまたは二つの弧状支持面３８，４０，４２によって、ブリスターストリップ１２の未使用および使用済み部分のために必要な空間が小さくなるように構成が改良されるが、これは、好ましい最適な構成ではない。
【００５５】
図３は、１回または２回の作動が行われた後の、ただし第２のコイル３６が第２のブリスター区画３０内で形成され始める前の未使用のブリスターストリップ１２のコイル３４を示す。第１のコイル３４の直径は、その最大値よりもわずかに小さい。
【００５６】
図４は、未使用のブリスターストリップ１２のコイル３４を、その最大直径またはその近くにおいて、ただし第２のコイル３６を形成するために第２のブリスター区画３０内に十分な使用済みブリスターストリップを伴って示している。図４において、第１の弧状支持面３８は、第１のコイル３４の理論的な最外螺旋を支持するように見える。第１の弧状支持面３８は、第１のブリスター区画２８の一部を形成する。第１の弧状支持面３８は、割り出しホイール２４の近傍で、吸入器１０の内壁から延びている。この位置において、第１の弧状支持面３８は、吸入器１０内の実質的に中央の位置で第１のコイル３４を支持し、図４に見られるように、可動隔壁３２を吸入器１０の右側に付勢する。第１の弧状支持面３８は、第１のコイル３４の直径が最大である場合、少なくとも３０度の第１のコイル３４の弧に等しい長さを有する。弧状支持面のこの長さは、吸入器１０の設計の複雑さを不必要に増大させることなく、第１のコイル３４を最初に適所で保持するのに十分な第1のコイル３４のためのサポートを提供する。
【００５７】
第２の弧状支持面４０は第２のコイル３６を支持する。第２の弧状支持面４０は、第２のブリスター区画３０の一部を形成する。第２の弧状支持面４０は、割り出しホイール２４の出口領域の近傍に配置される。第２の弧状支持面４０は、第１のコイル３４の直径が最大であるとき、少なくとも３０度の第２のコイル３６の弧に相当する。
【００５８】
したがって、第１および第２のブリスター区画２８，３０の形態は、第１のコイル３４の直径が最大またはそれに近いときの吸入器１０の耐用期間における段階に特有である。このとき、第２のコイル３６の直径は最小である。この段階で、第１の弧状支持面３８の半径は第１のコイル３４の半径と一致する。また、第２の弧状支持面４０の半径は第２のコイル３６の半径と一致する。
【００５９】
ここで図５を参照すると、第３の弧状支持面４２が吸入器１０の内面から内向きに延びている。第３の弧状支持面４２は第１のブリスター区画２８の一部を形成する。第３の弧状支持面４２は、割り出しホイール２４の入口領域の近傍に配置される。やはり、第３の弧状支持面４２の長さは、第１のコイル３４の直径が最大である場合に、少なくとも３０度の第１のコイル３４の弧に相当する。
【００６０】
図５では、第１および第２のブリスター区画２８，３０の形態は、第１および第２のコイル３４，３６の組み合わせ直径が最大であるときの吸入器１０の耐用期間における段階に特有である。この段階では、第３の弧状支持面４２の半径は第１のコイル３４の半径と一致する。
【００６１】
図６では、ブリスターストリップ１２からの用量薬剤の全てまたはほとんど全てが吸入器１０から分配されてしまっている。第１および第２のブリスター区画２８，３０の形態は、第２のコイル３６の直径が最大であるときの吸入器１０の耐用期間における段階に特有である。これは、第１のコイル３４の直径が最小またはそれに近いときと同じ段階と一致する。
【００６２】
図７を参照すると、第１のコイルの直径が曲線４４で示され、第２のコイルの直径が曲線４６で示され、これらの二つの直径の合計、すなわち第１および第２のコイルの合計直径が曲線４８で示されている。
【００６３】
吸入器１０の耐用期間の始めであって用量薬剤がほとんどまたは全く供給されていないとき、そして吸入器の耐用期間の実質的に中間まで、第１および第２のブリスター区画２８，２８内の空間が、第１および第２のコイル３４，３６のために続いて必要とされる内部容積を最小限に抑えるように厳しく制御されるかあるいは割り当てられることが非常に重要である。これがなされなければ、第１および第２のコイル３４，３６の合計直径を示す曲線４８が上向きにシフトし、グラフの非常に高い点で始まるであろう。結果として、第１および第２のコイル３４，３６のために必要な空間は、その組み合わされた直径が最大、すなわち吸入器１０の耐用期間のほぼ中間において生じる直径曲線４８の合計のピークであるとき、より大きくなるであろう。簡単に言えば、吸入器の有効耐用期間の開始時に、第１および第２のコイルの組み合わされた直径ができるだけ小さいことが不可欠である。
【００６４】
吸入器１０の耐用期間の終わりにあるいはそれに近づくにつれて、使用済みブリスターストリップが緊密に巻き上げられる必要がほとんどないので、弧状支持面３８，４０，４２の役割はますます重要ではなくなる。実際には、第２のコイル３６は、第２のブリスター区画３０内で利用可能な空間の全てではないにしても大部分を満たすように単に膨張する。
【００６５】
先に説明したように、ブリスター圧潰が吸入器１０に組み込まれると、図８に示すように、これは、概ね吸入器１０の耐用期間全体にわたって、第１および第２のコイル３４，３６の合計直径を減少させる。特に、第１および第２のコイル３４，３６の組み合わされた直径がピークにあるときに第１および第２のコイル３４，３６のために必要な空間は、ブリスター圧潰が使用されない場合に比べて低減される。
【００６６】
ブリスターの圧潰はブリスター穿孔および用量薬剤吸入が生じた後に行われるので、ブリスターの圧潰は第１のコイル３４の直径に影響しない。それは、コイル状の使用済みブリスターストリップの直径に影響を及ぼし、より緊密な第２のコイル３６を促進する。したがって、第１および第２のコイル３４，３６の合計直径は、ブリスターの圧潰が生じないときよりも小さい。
【００６７】
図７および図８の両方から明らかなように、第１および第２のコイル３４，３６の合計直径を最小にするためには、吸入器１０の耐用期間の初期段階において、可能な限り第１および第２のコイル３４，３６を拘束することが重要である。これが、今度は、第１および第２のコイル３４，３６の合計直径がそのピーク（または最大）であるときに必要とされる空間の大きさを最小にする。これは、上述した一つ以上の弧状支持面３８，４０，４２を用いることによって達成される。
【００６８】
上述した弧状支持面３８，４０，４２のいずれもが可動隔壁３２の一部を形成しない。図４、図５および図６から分かるように可動隔壁３２は右から左へと吸入器の幅を横切って移動するので、ある期間の間、第１の弧状支持面３８は可動隔壁３２の近くにある。第２の弧状支持面４０は、第２のコイル３６によって、可動隔壁３２から分離させられている。第３の弧状支持面４２は、第１のコイル３４によって、可動隔壁３２から分離させられている。
【００６９】
本発明のこの実施形態では、可動隔壁３２は、吸入器１０内のチャンバー２６を第１および第２のブリスター区画２８，３０に分割するバッフル５２に取り付けられかつそれと共に一体的に形成された細長い足部５０を備える。足部５０の略中央領域は、それがバッフル５２の両側で反対方向に延びるようにバッフル５２に取り付けられている。足部５０は、ハウジング１４の壁に形成されたリセス５４内にスライド可能に受け入れられると共に、リセス５０の壁との接触が主として足部５０の幅広な端部で行われるように、それがバッフル５２につながるその中央よりもその端部において幅広である。
【００７０】
バッフル５２自体は、直線状本体部分５６と、この直線状本体部分５６の下端から延在する弧状テール部分５８とを有する、略「Ｊ」字形である。弧状テール部分５８は、入ってくる使用済みブリスターストリップが第２の区画３０内で第２のコイル３６へと緊密に螺旋状になるのを促進するように湾曲している。弧状テール部分５８の半径が小さくなるほど、第２のコイル３６はますます緊密になる。これの利点は、得られる第２のコイル３６が、それ以外の場合に比べて、その最大半径において、より小さくなることである。
【００７１】
ここで図９を参照すると、ブリスターストリップ案内リブ６０が第２のブリスター区画３０内に配置されている。ブリスターストリップ案内リブ６０は、使用済みブリスターストリップが第２のブリスター区画３０に入るとき、その方向を制御する。ブリスターストリップ案内リブ６０とハウジング１４との間には、吸入器１０の連続的な作動の間に、使用済みブリスターストリップがそれを通過することを可能にするために、ギャップあるいはチャネルが存在する。ギャップのサイズは重要である。ブリスターストリップ１２は高さａを有し、かつ、ブリスターストリップ案内リブ６０がハウジング１４の内面から距離ｂだけ離間している場合、距離ｂは高さａより小さくなければならない。
【００７２】
ブリスターストリップ案内リブ６０の厚さは重要である。非常に薄いと、ブリスターストリップ案内リブ６０は製造中に問題を生じる。厚すぎると、使用済みブリスターストリップが緊密に巻かれない。その代わりに、使用済みブリスターストリップは、最終的にコイルになり始める前に、チャンバー２６の中心に向かってブリスターストリップ案内リブ６０から離れるように動く（丸みを帯びたものとは対照的に）細長いループを形成する。したがって、第２のコイル３６の結果として得られる直径は、そうでない場合よりもはるかに大きくなり、これによって、第１および第２のコイル３４，３６の組み合わされた直径が増大し、結果として、使用済みおよび未使用のブリスターストリップ１２のために必要な内部容積が増大する。リブの厚さが最適値にあるとき、使用済みブリスターストリップがコイル状になり始めると、それ自体がコイル状に戻り、入ってくる使用済みブリスターストリップと係合する。したがって、ブリスターストリップ１２の自由端部に作用する力によって、入ってくるブリスターストリップに作用して、それを前方に移動させる力が増大する。本発明者は、ブリスターストリップ案内リブ６０の最適厚さが１ｍｍまでであることを見出した。
【００７３】
必要とされる全体的な内部容積への影響に関して、ブリスターストリップ案内リブ６０は、上述した三つの弧状支持面３８，４０，４２よりも影響が大きいことが判明している。この場合、第３の弧状支持面４２が最も影響が大きく、次は第１の弧状支持面３８であり、最後は第２の弧状支持面４０である。
【００７４】
ブリスター圧潰が吸入器１０に組み込まれない場合、デバイスは三つの弧状支持面３８，４０，４２および／またはブリスターストリップ案内リブ６０のうちの一つ以上から依然として恩恵を受けるであろう。しかしながら、使用済みおよび未使用ブリスターストリップ１２のために必要な全空間は、コイル状の使用済みおよび未使用ブリスターストリップ１２の組み合わされた直径が最大であるときに、より大きくなるであろう。
【００７５】
より大きな用量ペイロードブリスターでは、依然として、必要な内部空間の最適化を行うことができるが、やはり、コイル状の使用済みおよび未使用ブリスターストリップ１２のピーク総直径は、そうでない場合よりも大きくなる。
【００７６】
最適化は、６０回用量薬剤吸入器１０ならびに３０回用量薬剤吸入器１０のために機能するであろう。３０回用量薬剤吸入器１０では、デバイス全体を理論的に比例的に小さくすることができる。しかしながら、現実には、金型のコストは６０回用量薬剤形態のために既に一度支払われており、３０回用量薬剤吸入器１０は共通のコンポーネントを使用するので、既存の金型を使用することは経済的に賢明である。さらに、３０回用量薬剤吸入器１０のために必要な内部空間を最適化するという問題は、単に既に利用可能な空間が十分にあるために、むしろ無意味であろう。
【００７７】
以下の特許請求の範囲に含まれる本発明の多くの修正および変形は、当業者には明らかであり、上記説明は、本発明の好ましい実施形態の説明としてのみみなされるべきである。例えば、「マウスピース」について言及するが、本発明はまた、用量薬剤が鼻腔を介して吸入されるデバイスにも適用可能である。したがって、本明細書の目的のために、「マウスピース」という用語はまた、その範囲内に、それを介した吸入のために患者の鼻腔内に挿入される管を含むように解釈されるべきである。
【００７８】
さらに、ブリスター穿孔部材は、マウスピースに取り付けられてマウスピースとブリスター穿孔部材とが一緒に動くように記載されているが、マウスピース自体は静止したままであってもよく、ブリスター穿孔部材が整列させられたブリスターの蓋を穿孔するべくマウスピースに対して回動するようにブリスター穿孔要素をマウスピースに回動可能に取り付けることもできる。
【００７９】
別の実施形態では、キャップおよび作動部材を組み合わせて単一部品にすることができるので、キャップの回転はまた、ストリップの割り出しおよび整列したブリスターの穿孔を引き起こす。
【００８０】
本発明の吸入器は受動的デバイスでも能動的デバイスでもよいことが理解されるであろう。受動的デバイスでは、ユーザーがマウスピースを経て吸入するときに生じる空気の流れに用量薬剤が引き込まれる。しかしながら、能動的デバイスでは、吸入器は、ブリスターを通ってガスまたは空気の加圧された流れを発生させて用量薬剤を引き込み、マウスピースを介してブリスターからユーザーの気道へとそれを運ぶための手段を含むであろう。一実施形態では、吸入器は、ハウジング内に加圧ガスまたは空気の供給源を備えていてもよい。
【００８１】
本明細書を通して、「未使用」および「使用済み」ブリスターの両方が言及される。「未使用」ブリスターとは、ブリスター穿孔部材を通過しておらず、その中に含まれる用量薬剤が無傷のままであるブリスターを意味することが理解されるであろう。「使用済み」ブリスターとは、ユーザーによるアクチュエータの動作に応答してブリスター穿孔部材を通過し、そこに含まれる用量薬剤へのアクセスが得られるように穿孔されたブリスターを意味する。一般に、「使用済み」ブリスターとは、そこから用量薬剤が吸入されたブリスターを意味するが、ブリスター穿孔部材を通過して穿孔されたが、その中に含まれる用量薬剤の一部あるいは全てを依然として含むブリスターを包含するとも解釈されるべきである。これは、例えば、以前に穿孔されたブリスターから用量薬剤を吸入することなくブリスターストリップを動かすためにユーザーがアクチュエータを動かすときに起こり得る。
【符号の説明】
【００８２】
１０  ドライパウダー吸入器
１２  ブリスターストリップ
１４  ハウジング
１４ａ  シェル部分
１４ｂ  シェル部分
１６  キャップ
１８  マウスピース
２０  ブリスター穿孔部材
２２  操作レバー
２４  ホイール
２６  チャンバー
２８  第１のブリスター区画
３０  第２のブリスター区画
３２  可動隔壁
３４  第１のコイル
３６  第２のコイル
３８  第１の弧状支持面
４０  第２の弧状支持面
４２  第３の弧状支持面
４４  曲線
４６  曲線
４８  曲線
５０  足部
５２  バッフル
５４  リセス
５６  直線状本体部分
５８  弧状テール部分
６０  ブリスターストリップ案内リブ
【図１】
2019181248.tif 000003
【図２ａ】
2019181248.tif 000004
【図２ｂ】
2019181248.tif 000005
【図２ｃ】
2019181248.tif 000006
【図２ｄ】
2019181248.tif 000007
【図２ｅ】
2019181248.tif 000008
【図３】
2019181248.tif 000009
【図４】
2019181248.tif 000010
【図５】
2019181248.tif 000011
【図６】
2019181248.tif 000012
【図７】
2019181248.tif 000013
【図８】
2019181248.tif 000014
【図９】
2019181248.tif 000015
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
吸入器（１０）であって、
ハウジング（１４）と、
それを経てユーザーによって一回分の薬剤が吸入されるマウスピース（１８）と、
複数のブリスターを有するブリスターストリップであって、各ブリスターは、少なくとも最初に、ユーザーによる吸入のための一回分の薬剤を収容する、ブリスターストリップ（１２）と、
前記ブリスターストリップ（１２）のターゲットブリスターからの薬剤の取り出しを容易にするためのブリスター開封アセンブリ（２０）と、
前記ターゲットブリスターとなるように各ブリスターを前記ブリスター開封アセンブリと整列状態となるように順次移動させるよう動作可能なアクチュエータ機構（２２，２４）と
を具備し、
前記ハウジング（１４）は、第１のコイル（３４）として前記ブリスターストリップの未開封部分を収容するための第１のブリスター区画（２８）と、前記ブリスターストリップの開封済み部分を収容するとともにそれを第２のコイル（３６）へと巻回するための第２のブリスター区画（３０）と、前記第１のブリスター区画と前記第２のブリスター区画とを分離させる可動隔壁（３２）と、を具備し、
前記可動隔壁（３２）は前記吸入器の連続的な作動中に漸進的に移動させられ、これによって前記第１のブリスター区画（２８）の容積を漸進的に減少させるとともに前記第２のブリスター区画（３０）の容積を漸進的に増大させ、
前記吸入器は、さらに、
前記第１のコイル（３４）の少なくとも一部を支持するために前記ハウジング内で前記第１のブリスター区画（２８）内に配置されるかあるいはその一部を形成する第１の弧状支持面（３８）であって、前記第１のコイルの直径が最大であるときの前記吸入器の耐用期間におけるある段階で、前記第１の弧状支持面（３８）の半径は前記第１のコイル（３４）の半径と一致し、前記第１の弧状支持面（３８）は前記可動隔壁（３２）の一部を形成していない、第１の弧状支持面（３８）と、
使用済みブリスターストリップが前記第２のブリスター区画（３０）に入るとき、前記使用済みブリスターストリップの方向を制御するためのブリスターストリップ案内リブ（６０）であって、前記使用済みブリスターストリップは、前記吸入器の連続的な作動の間、前記案内リブと前記ハウジング（１４）の内面との間を通過し、前記ブリスターストリップ（１２）は高さａを有しており、かつ、前記案内リブは、前記ハウジングの内面から距離ｂだけ離間させられている、ブリスターストリップ案内リブ（６０）と、
を具備し、
前記距離ｂは前記高さａ未満であることを特徴とする吸入器。
【請求項２】
前記第２のコイル（３６）の少なくとも一部を支持するために前記ハウジング内で、前記第２のブリスター区画（３０）内に配置されるかあるいはその一部を形成する第２の弧状支持面（４０）をさらに具備し、
前記第１のコイル（３４）の直径が略最大であるときの前記吸入器の耐用期間におけるある段階で、前記第２の弧状支持面（４０）の半径は前記第２のコイル（３６）の半径と一致する、請求項１に記載の吸入器。
【請求項３】
前記第１のコイル（３４）の少なくとも一部を支持するために前記ハウジング内で、前記第１のブリスター区画（２８）内に配置されるかあるいはその一部を形成する第３の弧状支持面（４２）をさらに具備し、
前記第１のコイル（３４）および前記第２のコイル（３６）の合計直径が最大であるときの前記吸入器の耐用期間におけるある段階で、前記第３の弧状支持面（４２）の半径は前記第１のコイル（３４）の半径と一致する、請求項２に記載の吸入器。
【請求項４】
前記弧状支持面（３８，４０，４２）は、前記ハウジング（１４）の内面から延在する、請求項３に記載の吸入器。
【請求項５】
前記弧状支持面（３８，４０，４２）は、前記ハウジング（１４）内に配置された内壁から延在する、請求項３または請求項４に記載の吸入器。
【請求項６】
前記第１の弧状支持面（３８）および／または第３の弧状支持面（４２）は、前記第１のコイルの半径が最大であるとき、少なくとも３０度の前記第１のコイル（３４）の弧に等しい長さを有する、請求項３ないし請求項５のいずれか１項に記載の吸入器。
【請求項７】
前記第２の弧状支持面（４０）は、前記第１のコイルの半径が略最大であるとき、少なくとも３０度の前記第２のコイル（３６）の弧に等しい長さを有する、請求項３ないし請求項６のいずれか１項に記載の吸入器。
【請求項８】
前記ハウジング（１４）に対する前記弧状支持面（３８，４０，４２）の位置は、それらが不動であるように固定される、請求項３ないし請求項７のいずれか１項に記載の吸入器。
【請求項９】
前記第１のコイル（３４）は、前記第３の弧状支持面（４２）と前記可動隔壁（３２）との中間に配置される、請求項３ないし請求項８のいずれか１項に記載の吸入器。
【請求項１０】
前記第２のコイル（３６）は、前記第２の弧状支持面（４０）と前記可動隔壁（３２）との中間に配置される、請求項２ないし請求項９のいずれか１項に記載の吸入器。
【請求項１１】
前記ブリスターが開封された後に、前記ブリスターを少なくとも部分的に押し潰すためのブリスター圧潰部材をさらに備える、請求項１ないし請求項１０のいずれか１項に記載の吸入器。
【請求項１２】
前記可動隔壁（３２）は、バッフル（５２）に対して取り付けられると共に前記バッフル（５２）と一体的に形成された細長い足部（５０）を備える、請求項１ないし請求項１１のいずれか１項に記載の吸入器。
【請求項１３】
前記バッフル（５２）は、直線状本体部分（５６）と、この直線状本体部分の下端から延在する弧状テール部分（５８）と、を有する、請求項１２に記載の吸入器。
【外国語明細書】
2019181248000001.pdf